(57)【要約】【課題】低コストで不正手段が生じにくい電子くじシステムが望まれていた。【解決手段】信号送受信用のアンテナと、リーダからの質問信号を受信し、応答する応答信号をリーダに送信する回路とを備え、どのくじに属するかを示すくじ記号が記憶されてなる非接触ＩＣタグを用意する段階と、リーダから非接触ＩＣタグに対し質問信号を送信する段階と、リーダが非接触ＩＣタグから前記くじ記号を含む応答信号を受信する段階と、リーダからサーバに対して電気通信回線を通じて、くじへ参加する旨を伝える参加信号を送信する段階と、サーバが参加信号に対し、くじ記号内の固有記号を前記リーダに送信する段階とからなる電子くじシステムを提供する。【選択図】図１
2004062487.tif 000002
【特許請求の範囲】
【請求項１】
信号送受信用のアンテナと、リーダからの質問信号を受信し、応答する応答信号をリーダに送信する回路とを備え、どのくじに属するかを示すくじ記号が記憶されてなる非接触ＩＣタグを用意する段階と、リーダから非接触ＩＣタグに対し質問信号を送信する段階と、リーダが非接触ＩＣタグから応答信号を受信する段階と、リーダからサーバに対して電気通信回線を通じて、リーダが備える固有リーダ記号と前記くじ情報とから得られる固有くじ記号を送信する段階と、サーバが抽選結果を電気通信回線を通じて前記リーダに送信する段階とからなる非接触ＩＣタグを用いた電子くじシステム。
【請求項２】
前記非接触ＩＣタグに演算式が記憶され、前記質問信号がリーダが備える固有リーダ記号を含み、非接触ＩＣタグが前記くじ記号と固有リーダ記号を前記演算数式で演算し、演算結果を前記応答信号としてリーダが受信することを特徴とする請求項１記載の非接触ＩＣタグを用いた電子くじシステム。
【請求項３】
前記質問信号が、周波数がホッピングされた信号であることを特徴とする請求項１または請求項２記載の非接触ＩＣタグを用いた電子くじシステム。
【発明の詳細な説明】
【０００１】
【発明の属する技術分野】
本発明は、非接触ＩＣタグを用いた電子くじシステムに関する。
【０００２】
【従来の技術】
従来の電子くじシステムでは、その電子くじの非接触ＩＣタグに固有の番号等の固有のくじ記号そのものをそのまま記憶させるのが一般的であった。
【０００３】
しかし、その固有のくじ記号そのものをそのまま記憶させるのが一般的であったため不正手段が生じやすかった。
【０００４】
具体的には、それぞれの非接触ＩＣタグに固有のくじ記号をデットコピー等により、抽選を行なうことが可能であった。
【０００５】
また、一回の抽選に複数の抽選番号で参加するというようなことも容易であった。
【０００６】
特に抽選結果を忘れ易く、また当選の照合が容易でなく、容易なシステムとすると、その場合は照合ミスが多くなっていた。
【０００７】
また、混信や妨害の問題もあり、トラブルが多い電子くじシステムであった。
【０００８】
さらに、この様な問題点を起こさないシステムとしては、高価なシステムとなっていた。
【０００９】
そこで、不正手段が介在しにくい、しかも安価な、優れた電子くじシステムを提供することが求められてきた。
【００１０】
【発明が解決しようとする課題】
本発明は、低コストで、不正手段が生じにくい電子くじシステムを提供することを目的とする。
【００１１】
具体的には、それぞれの非接触ＩＣタグに固有の番号等の固有のくじ記号を記憶させることなく、抽選を行なうことが可能であり、従ってくじの発行が低コストで済み、低コストの電子くじシステムを提供することが求められてきた。
【００１２】
また、一回の抽選に複数の抽選番号で参加するというような不正手段が介在しにくい、優れた電子くじシステムを提供することが求められてきた。
【００１３】
特に抽選結果を、前記リーダに電気通信回線を通じて送信するため、結果を見忘れにくく、またリーダで機械的に当選の照合を行なわせることも可能となり、その場合は照合ミスもなくなる。
【００１４】
また、質問信号が周波数がホッピングされた信号であるため、混信や妨害に強く、トラブルの少ない電子くじシステムを提供することが可能となる。また、ブルートゥース対応の端末等、従来の端末を電子くじシステムに用いること求められてきたも可能となる。
【００１５】
【課題を解決するための手段】
本願発明は、上記課題を解決するために提供する技術として、請求項１では、信号送受信用のアンテナと、リーダからの質問信号を受信し、応答する応答信号をリーダに送信する回路とを備え、どのくじに属するかを示すくじ記号が記憶されてなる非接触ＩＣタグを用意する段階と、リーダから非接触ＩＣタグに対し質問信号を送信する段階と、リーダが非接触ＩＣタグから応答信号を受信する段階と、リーダからサーバに対して電気通信回線を通じて、リーダが備える固有リーダ記号と前記くじ情報とから得られる固有くじ記号を送信する段階と、サーバが抽選結果を電気通信回線を通じて前記リーダに送信する段階とからなる非接触ＩＣタグを用いた電子くじシステムを提供するものである。
【００１６】
また、請求項２では、前記非接触ＩＣタグに演算式が記憶され、前記質問信号がリーダが備える固有リーダ記号を含み、非接触ＩＣタグが前記くじ記号と固有リーダ記号を前記演算数式で演算し、演算結果を前記応答信号としてリーダが受信することを特徴とする請求項１記載の非接触ＩＣタグを用いた電子くじシステムを提供するものである。
【００１７】
また、請求項３では、前記質問信号が、周波数がホッピングされた信号であることを特徴とする請求項１または請求項２記載の非接触ＩＣタグを用いた電子くじシステムを提供するものである。
【００１８】
以下、上記発明における用語説明を記載する。
【００１９】
（１）信号送受信用のアンテナ
リーダからの質問信号を受信し、その信号に応答する信号を送信するためのアンテナ
【００２０】
（２）非接触ＩＣタグ
非接触ＩＣタグは、非接触でデータの授受を行なうＩＣタグのことである。
下記ａ、ｂ、ｃを少なくとも備える。例：ＩＣチップ上にアンテナを備えたもの。
ａ．　信号送受信用のアンテナ
ｂ．　回路（リーダからの信号を受信し、その信号に応答する信号をリーダに送信する）
ｃ．　記憶手段　例：メモリー
【００２１】
（３）リーダ
リーダは利用者が場所を選ばすに用いることができるため、携帯型のものが好ましい。電気通信回線に無線接続可能なものであることが好ましい。電気通信回線に接続とは、例えば携帯電話と一体型になったリーダ、あるいは携帯電話にケーブルで接続可能なリーダのように、接続可能ものがあげられる。
【００２２】
リーダはリーダ固有の情報である固有リーダ記号を備える。固有リーダ記号は、例えばリーダの製造番号や、製造番号とリーダ製造メーカーとの組み合わせ等があげられる。このような情報は本来リーダが備えている情報であり、本発明のくじシステムのために改めて用意する必要はないものである。
【００２３】
そして、固有リーダ記号とくじ記号から固有くじ記号を得て、サーバに電気通信回線を通じて、送信する。固有くじ記号は、非接触ＩＣタグからの応答信号が固有くじ記号となっている場合と、さらにリーダ内での演算等を経て固有くじ記号を得る場合とがある。
【００２４】
この固有くじ記号は、抽選の対象となるくじ内で、与えられる固有の記号である。例えば、「平成１４年度クリスマスくじ」の中では重複することなく、与えられる固有記号である。番号だけからなっても、アルファベット等の記号だけからなっても、それらの組み合わせでもよいのはもちろんである。　また、表示装置、音声出力装置を有し、抽選結果、例えば当選番号、あたりはずれ結果等を表示可能なようにすることが好ましい。表示装置がカラーであれば、あたりの場合に色を変える等の、より多くの種類の情報を表示させることができる。音声出力装置であれば、音声案内が可能となる。
【００２５】
電気通信回線とは、電話回線や通信用ネットワーク回線があげられる。
リーダとして、例えばブルートゥース（商標）通信可能な携帯電話を用いることがあげられ、その場合、質問信号をブルートゥース方式の信号で送信することが可能となる。また、応答信号をブルートゥース方式の信号とすることもできる。
【００２６】
（４）くじ記号
例えば、平成１４年度クリスマスくじ、Ａ株式会社新店舗オープン記念くじ、というように、抽選対象となるくじを特定するための記号である。番号だけからなっても、アルファベット等の記号だけからなっても、それらの組み合わせでもよい。
【００２７】
抽選の対象となるくじには、おなじ記号が付与される。例えば、「平成１４年度クリスマスくじ」には「１１Ａ１」、「Ａ株式会社新店舗オープン記念くじ」には「５５５５５」というような記号が与えられる。
【００２８】
（５）質問信号
質問信号は、リーダが非接触ＩＣタグに対して送信する信号である。非接触方式ＩＣタグのデータを読み出す場合と、書込みを行なう場合の両方が考えられる。非接触方式ＩＣタグにデータを書き込む場合には、書込むデータを含むことになる。
【００２９】
例えば、最初に質問信号を送信した場合にその旨を書込み、以後は書込みを禁止することにより、より厳格な再使用禁止、という機能を持たせることも可能である。
【００３０】
（６）応答信号
応答信号は、非接触ＩＣタグが質問信号に応答して、リーダに対して送信する信号であり、非接触ＩＣタグに記憶された情報を応答信号に含むことになる。
【００３１】
非接触方式ＩＣタグにデータを書き込む動作を含むことも可能であり、その場合には、書込むが完了した旨の信号を応答信号に含むことができる。
【００３２】
応答信号は、非接触ＩＣタグに記憶されたくじ記号をそのまま用いても、あるいはくじ記号を演算してその結果を応答信号としてもよく、その場合、下記の方法があげられる。
【００３３】
Ａ．非接触ＩＣタグに記憶されたくじ記号をそのまま応答信号とする方法
Ｂ．非接触ＩＣタグに記憶されたくじ記号と質問信号を単純につなぎ合わせて、応答信号とする方法
Ｃ．非接触ＩＣタグに記憶されたくじ記号と質問信号を非接触ＩＣタグ内に記憶された演算式で、非接触ＩＣタグ内で演算して、応答信号とする方法
なお、Ｃの場合には、くじ記号と質問信号を加算あるいは減算する方法や、非接触ＩＣタグに演算数式が記憶され、その演算式でくじ記号と質問信号を演算する方法があげられる。
【００３４】
また、Ａ、Ｂの場合には、応答信号を受信したリーダ内で、リーダ内に記憶された演算式で、固有リーダ記号とさらに演算してもよい。
【００３５】
あるいは演算式を用いず、リーダ内に用意された対応テーブルを用いて、固有くじ記号を得てもよい。
【００３６】
上述したような演算等により、最終的に固有くじ記号を得るものである。
【００３７】
そして、この固有くじ記号をリーダから、サーバに対して電気通信回線を通じて送信することにより、リーダ所持者はくじに参加する意思を表示する。
【００３８】
タグに入っている製造者や販売者のＵＲＬを、電気通信回線に無線接続可能なリーダで読取り、電気通信回線を通してＷＥＢに接続することにより、さらに多くの量の情報、例えば、抽選日時や現在までの参加人数等、くじに関する情報をリーダが得ることもできる。
【００３９】
（７）サーバ
サーバはくじに関する情報の管理を行なう。例えばリーダが読取った非接触ＩＣタグからの応答信号を記憶する記憶手段、応答信号と照合するための当選番号等のデータ、そのデータと照合するための比較回路、参加者名簿を記憶しておく記憶手段、くじへ参加が行なわれた時に記憶手段のデータを更新し、必要に応じてそれらデータの演算を行なう演算手段、演算結果を出力する出力手段等を有している装置が考えられる。
【００４０】
（８）抽選結果の送信
サーバは当選番号を決定する。そして、リーダに抽選結果を送信する。送信する抽選結果は、当選番号をそのまま通知しても、あるいは「あたり」又は「はずれ」という情報を通知してもよい。もちろんどのくじの抽選結果であるかがわかるように「Ａ株式会社新店舗オープン記念くじ」というような情報と共に、さらには当選商品情報等の付加情報と共に送信してもよいことはもちろんである。
【００４１】
（９）周波数がホッピングされた信号
周波数がホッピングされた信号で、例えばブルートゥース通信方式に準拠した信号があげられる。
【００４２】
周波数ホッピングされた信号であるのは、質問信号だけでもよい。その場合、応答信号は一定周波数の信号でよい。
【００４３】
【発明の実施の形態】
本発明に係る非接触ＩＣタグを用いた電子くじシステムの実施形態を、以下に説明する。
【００４４】
次に、本発明を図１から図６に示す実施例に基づいて詳細に説明する。
【００４５】
図１は、本発明の電子くじシステムの全体動作説明図、図２は、本発明の非接触方式ＩＣタグの動作説明図、図３は、リーダによる非接触方式ＩＣタグによる電子くじシステムの動作説明図、図４は、リーダによる非接触方式ＩＣタグによる電子くじシステムの非接触方式ＩＣタグの動作を示す動作説明図、図５は、本発明の電子くじシステムで使用される非接触方式ＩＣタグの平面説明図、図６は図５のＸ−Ｘ線断面説明図である。
【００４６】
本発明のシステムの説明に先だって、本発明で使用される非接触方式ＩＣタグを図５、図６に基づいて説明する。非接触方式ＩＣタグ１は、非接触方式でデータの送受信を行うアンテナが設けられているアンテナ部２と情報記憶部を有するＩＣ回路３を基材シート４内に内包している。
【００４７】
なお、くじの種類によりその払い戻し期間等の条件等の表示が必要な場合は、その表面に印字可能な構成が求められ、また、必要に応じてこの基材シート４の表裏面にくじの条件を記載するために、シート５、６で挟持してなる上質紙または印刷適性をもたせた樹脂でサンドイッチされている構成が求められる場合がある。
【００４８】
その場合の表面の印字部は、トナー印字適性を持たせるため各種樹脂や導電材による表面コートが施される場合が多い。
【００４９】
例えば、ノンインパクトによるトナー印字の際、転写性を向上させるために導電材を塗工し、タグ表面の抵抗値を１．０×１０の１１乗オーム以下に設定したり、あるいは、トナーの定着性を向上させるために各種の樹脂を塗工し、アンカーコート層を形成することにより、トナーの印字適性を向上させることができる。
【００５０】
また、表面には、耐熱インクを塗布してもよく、この耐熱インクのうち少なくとも黒インク等で印字欄や模様等が構成される場合は、カーボンレスインクで構成されてなるものである。
【００５１】
これにより、タグ表面へのノンインパクト方式、例えば静電写真印刷によるトナー印字の際、黒印刷部の蓄熱を防止でき、ＩＣ回路３を熱圧からの影響が回避できる。この場合の耐熱インクは、紫外線（以下ＵＶと称する）硬化インクが、使用されており、ＵＶランプ等により乾燥されてなるもので、カード表面へのノンインパクトによるトナー印字の際、印字部のインクが溶けることなく安定した印字が行えるとともに、印字部の内面側のＩＣ回路３を熱圧から保護できる。
【００５２】
もちろん物品の種類等により、印字等が必要のない場合は、この様な工夫は不要である事は当然である。　次に、電子くじ処理に係る処理につき、いくつかの例を以下示す。
【００５３】
なお、これらの例で、前記質問信号を周波数がホッピングされた信号、例えばブルートゥース通信の取り決めに従った信号を用いてもよいことはもちろんである。
【００５４】
＜処理例１＞
図１、図２を用いて説明する。
【００５５】
まず、図１を用いて、本発明の電子くじシステムの全体動作説明を行う。
【００５６】
非接触方式ＩＣタグ２１には、予めくじ記号３０が与えられ、内部にその情報を保持している。
【００５７】
非接触方式ＩＣタグ２１は、信号送受信用のアンテナ２２と、リーダ２４からの質問信号２５を受信して応答する応答信号２６をリーダ２４に送信する回路２３とを備えている。
【００５８】
リーダ２４から質問信号２５が発信されると、アンテナ２２にて受信して回路２３を流れる事で質問信号２５にくじ記号３０が組み込まれた上でアンテナ２２に信号が送られ、応答信号２６がアンテナ２２から発信される。この応答信号２６をリーダ２４が受信すると、この応答信号２６を把握する。
【００５９】
そして、リーダ内の固有リーダ記号を応答信号の末尾に加えて固有くじ記号を得る。さらに、固有くじ記号はリーダ２４外のサーバ２７に参加信号２８として送信される。
【００６０】
ここで、参加信号２８が、一つのくじに対して複数回の参加を図るために、複数回送られてきていないか、参加資格のないリーダから送られてきていないか、等の判断をサーバが行なえば、この時点で不正な参加信号は受け付けないようにすることができる。
【００６１】
抽選が行なわれると、抽選結果２９がリーダ２４に送られる。
【００６２】
また、図２を用いて、本発明の非接触方式ＩＣタグのシステムの動作を、リーダの動作から見た場合の説明図を行う。
【００６３】
またこの非接触方式ＩＣタグ２１は、くじ記号が予め用意１０１されていると同時に動作を開始し、リーダ２４から発せられた質問信号２５を受信する段階１０２と、非接触方式ＩＣタグからの応答信号をリーダ２４が受信する段階１０３とからなり、また、サーバ２７に対しては参加信号２８を送信する段階１０４の結果、抽選結果２９をその参加信号２８から認識し、抽選結果２９の受信をリーダ２４が受信する段階１０５により、その抽選結果２９をリーダ２４内に保持する。
【００６４】
リーダの所持者は抽選結果をリーダに表示させることによって抽選結果を知ることができる。
【００６５】
＜処理例２＞
図３を用いて説明する。
【００６６】
まず、図３を用いて、本発明の電子くじシステムの全体動作説明を行う。
【００６７】
予めくじ記号３０が与えられ、内部にその情報を保持している。
【００６８】
非接触方式ＩＣタグ２１は、信号送受信用のアンテナ２２と、リーダ２４からの質問信号２５を受信して応答する応答信号２６をリーダ２４に送信する回路２３とを備えている。
【００６９】
リーダ２４から質問信号２５が発信されると、アンテナ２２にて受信して回路２３を流れる事で質問信号２５にくじ記号３０が組み込まれた上でアンテナ２２に信号が送られ、応答信号２６をアンテナ２２から発信される。この応答信号２６をリーダ２４が受信すると、この応答信号２６を把握する。
【００７０】
なお、応答信号２６はリーダ２４外のサーバ２７に参加信号２８として送信される。
【００７１】
また、参加信号２８は、応答信号２６そのものであっても構わないが、セキュリティーの関係上、変換もしくはリーダ２４が真正である事を示す情報を組み込んだものである場合もある。
そして、その送信された参加信号２８に基づき確認記号３２が作成され、リーダ２４に送られる。そして、その確認記号３２をリーダ２４が受信し、その確認記号３２をリーダ２４内に保持する。
【００７２】
この確認記号は、参加信号をそのまま確認記号としても、サーバが、リーダとの間であらかじめ取り決められた約束に基づき付加情報を加えて確認記号としてもよい。
【００７３】
この確認記号３２により、非接触ＩＣタグの真偽の確認を行う。
【００７４】
この場合、真偽の確認はリーダ２４自身の処理により行っても、リーダ２４から別の真偽確認サーバに送られるものであっても、さらに、ダウンロード等の手段により出力された上で人手で確認するものであっても構わない。
【００７５】
なおこの際にサーバは、確認記号と共に、その時点でのくじへの参加人数情報等をリーダに送信してもよい。そして、その結果を参加者が見て最終的にくじへの参加を決定し、参加意思表示信号をサーバに送信するという段階を備えてもよい。
【００７６】
さらに、その後抽選期限が来たなら、参加信号又は参加意思表示信号で参加意思が表示された信号の中から適正な抽選手段（セキュリティー上の理由で一般的に非公開技術となっている）により得られた抽選結果３１をリーダ２４に送付する。
【００７７】
また、本願発明の場合、真正である事の認証を各処理の前に行う事も通常であり、各種非公開の認証技術等を用いうる。
【００７８】
【発明の効果】
請求項１記載の非接触ＩＣタグを用いた電子くじシステムは、信号送受信用のアンテナと、リーダからの質問信号を受信し、応答する応答信号をリーダに送信する回路とを備え、どのくじに属するかを示すくじ記号が記憶されてなる非接触ＩＣタグを用意する段階と、リーダから非接触ＩＣタグに対し質問信号を送信する段階と、リーダが非接触ＩＣタグから応答信号を受信する段階と、リーダからサーバに対して電気通信回線を通じて、リーダが備える固有リーダ記号と前記くじ情報とから得られる固有くじ記号を送信する段階と、サーバが抽選結果を電気通信回線を通じて前記リーダに送信する段階とからなる非接触ＩＣタグを用いた電子くじシステムであるため、
それぞれの非接触ＩＣタグに固有の番号を記憶させることなく、抽選を行なうことが可能であり、従ってくじの発行が低コストで済み、低コストの電子くじシステムを提供することができる。
【００７９】
また、一回の抽選に複数の抽選番号で参加するというような不正手段が介在しにくい、優れた電子くじシステムを提供することができる。
【００８０】
特に請求項２記載の発明によれば、
前記非接触ＩＣタグに演算式が記憶され、前記質問信号がリーダが備える固有リーダ記号を含み、非接触ＩＣタグが前記くじ記号と固有リーダ記号を前記演算数式で演算し、演算結果を前記応答信号としてリーダが受信するため、結果を見忘れにくく、またリーダで機械的に当選の照合を行なわせることも可能となり、その場合は照合ミスもなくなる。
【００８１】
また請求項３記載の発明によれば、
質問信号が、周波数がホッピングされた信号であるため、混信や妨害に強く、トラブルの少ない電子くじシステムを提供することが可能となる。また、ブルートゥース対応の端末等、従来の端末を本電子くじシステムに用いることも可能となる。
【図面の簡単な説明】
【図１】本発明の電子くじシステムの一例の全体動作説明図である。
【図２】本発明の非接触方式ＩＣタグの動作説明図である。
【図３】本発明の電子くじシステムの他の例の全体動作説明図である。
【図４】本発明の電子くじシステムで使用される非接触方式ＩＣタグの平面説明図である。
【図５】図４のＸ−Ｘ線断面説明図である。
【符号の説明】
１　　　　非接触方式ＩＣタグ
２　　　　アンテナ部
３　　　　ＩＣ回路
４　　　　基材シート
５、６　　シート
２１　　　非接触方式ＩＣタグ
２２　　　アンテナ
２３　　　回路
２４　　　リーダ
２５　　　質問信号
２６　　　応答信号
２７　　　サーバ
２８　　　参加信号
２９　　　抽選結果
３０　　　くじ記号
３１　　　抽選結果
３２　　　確認記号
１０１〜１０５　　処理
【図１】
2004062487.tif 000003
【図２】
2004062487.tif 000004
【図３】
2004062487.tif 000005
【図４】
2004062487.tif 000006
【図５】
2004062487.tif 000007